(57)【要約】【課題】調整ダイヤルを定位置に保持し、安定した動作特性を得ることが可能な熱動形過負荷継電器を提供する。【解決手段】外郭ケース１と、外郭ケース１に設けられた調整ダイヤル挿入穴１ａに挿入され、整定電流の調整をする調整ダイヤル１２と、該調整ダイヤル１２を固定する線バネ１３を備えた熱動形過負荷継電器において、前記調整ダイヤル１２の軸部１２ａに傾斜面１２ｂを設け、該傾斜面１２ｂに前記線バネ１３に設けた保持部１３ａを固定するとともに、前記調整ダイヤル１２を前記外郭ケース１に保持した状態で調整ダイヤル１２を回転させても前記線バネ１３の回転を防止する掛止部１ｃを外郭ケース１の内部の設けた構造とする。【選択図】図１
2012109117.tif 000002
【特許請求の範囲】
【請求項１】
外郭ケースと、外郭ケースに設けられた調整ダイヤル挿入穴に挿入され、整定電流の調整をする調整ダイヤルと、該調整ダイヤルを固定する線バネを備えた熱動形過負荷継電器において、前記調整ダイヤルの軸部に傾斜面を設け、該傾斜面に線バネに設けた保持部を固定するとともに、前記調整ダイヤルを前記外郭ケースに保持した状態で調整ダイヤルを回転させても前記線バネの回転を防止する掛止部を外郭ケースの内部に設けたことを特徴とする熱動形過負荷継電器。
【請求項２】
請求項１に記載の熱動形過負荷継電器において、掛止部は突起形状としたことを特徴とする熱動形過負荷継電器。
【請求項３】
請求項１に記載の熱動形過負荷継電器において、掛止部は溝形状としたことを特徴とする熱動形過負荷継電器。
【請求項４】
請求項１に記載の熱動形過負荷継電器において、前記線バネの保持部をＵ字形状に成形し、該Ｕ字形状の保持部を調整ダイヤルに設けた傾斜面の周面に固定したことを特徴とする熱動形過負荷継電器。
【発明の詳細な説明】
【技術分野】
【０００１】
本発明は、電磁接触器などに組み合わせて使用する熱動形過負荷継電器（サーマルリレー）に関し、詳しくは調整ダイヤルの保持構造に関する。
【背景技術】
【０００２】
まず、頭記した熱動形過負荷継電器の代表的な従来構造を図６に示す。
図６において、１は樹脂モールド製の外郭ケース、２は主回路に接続したヒータ２ａの発熱を受けて湾曲する主バイメタル、３は主バイメタル２の自由端に連係させたシフター、４はシフター３の変位に従動する釈放レバー、５は釈放レバー４で駆動させる出力接点の開閉機構で、該開閉機構５は釈放レバー４に連係させた反転ばね６と、反転ばね６に連結したスライダ７と、スライダ７の動きに応動して開閉動作する出力接点８（ａ接点）および９（ｂ接点）と、リセットスイッチ１０との組立体からなる。また、１１は前記釈放レバー４を揺動可能に軸支保持した調整リンク、１２は調整リンク１１の上端側に連係させて整定電流を調整する調整ダイヤルである。
上記の熱動形過負荷継電器の動作は周知の通りであり、主回路に流れる過負荷電流により主バイメタル２が湾曲すると、シフター３を介して釈放レバー４が支軸１１ａを中心に回転して反転ばね６を反転させ、開閉機構５のスライダ７を駆動して出力接点８，９を反転させて接点信号を出力する（例えば、特許文献１参照）。
次に、熱動形過負荷継電器の整定電流値の調整方法を説明する。図６において、調整ダイヤル１２を回すと、カム部１２ｃに当接している調整リンク１１が外郭ケース１のケース支軸１ｂを支点として変位する。これに伴って調整リンク１１に連結された釈放レバー４も変位して移動し、釈放レバー４とシフター３の先端との間のギャップを変化させることができる。
ここで、調整ダイヤル１２を外郭ケース１への組立方法を図６，図７に基づいて説明する。調整ダイヤル１２を所定の組立位置に保持させるために、調整ダイヤル１２の軸部１２ａと外郭ケース１との間には、図７に示すようにバネ線材（例えばピアノ線）を図示のような形状に曲げ加工して撓ませた線バネ１３を介装し、そのばね反力で調整ダイヤル１２を定位置に押圧保持するようにしている。
【先行技術文献】
【特許文献】
【０００３】
【特許文献１】特開２０００−１６０３４６号公報
【発明の概要】
【発明が解決しようとする課題】
【０００４】
ところで、前記した従来の熱動形過負荷継電器では、調整ダイヤル１２を定位置に保持するためには、調整ダイヤル１２の側面にバネ線材を挿入するスペースが必要となる。更に、熱硬化性樹脂のケースであれば、ある程度の肉厚を確保することは可能だが、熱可塑性樹脂を外郭ケース１へ使用しているため、調整ダイヤル１２挿入後に、調整ダイヤル１２が傾斜しないように外郭ケース１の一部分に肉厚を設けることは、ケース自体の変形の原因になってしまうという問題がある。
【０００５】
また、調整ダイヤル１２を外郭ケース１に固定する際、バネ線材は調整ダイヤルの側面または１点支持により固定されているため、調整ダイヤル１２の固定でガタが発生し、動作に不具合が発生してしまうという問題もある。
【０００６】
本発明は上記の点に鑑みなされたものであり、バネ線材を挿入するスペースが小さくても調整ダイヤルを保持できる構造であるとともに、熱可塑性樹脂のケースによる薄肉部でも採用できる構造にし、安定した動作を可能にした熱動形過負荷継電器を提供することを目的とする。
【課題を解決するための手段】
【０００７】
上記目的を達成するために、本発明によれば、外郭ケースと、外郭ケースに設けられた調整ダイヤル挿入穴に挿入され、整定電流の調整をする調整ダイヤルと、該調整ダイヤルを固定する線バネを備えた熱動形過負荷継電器において、前記調整ダイヤルの軸部に傾斜面を設け、該傾斜面に前記線バネに設けた保持部を固定するとともに、調整ダイヤルを前記外郭ケースに保持した状態で調整ダイヤルを回転させても前記線バネの回転を防止する掛止部を前記外郭ケースの内部に設けた構造とする（請求項１）。
【０００８】
また、上記の熱動形過負荷継電器において、次記のような態様で構成することができる。
（１）前記掛止部を溝形状とする（請求項２）。
（２）前記掛止部を突起形状とする（請求項３）。
（３）前記線バネの保持部をＵ字形状に成形し、該Ｕ字形状の保持部を前記調整ダイヤルに設けた傾斜面の周面に固定する（請求項４）。
【発明の効果】
【０００９】
上記の構成によれば、構造上、線バネを挿入するスペースが小さくても、調整ダイヤルの周囲に線バネの径寸法程度のスペースがあれば固定でき、調整ダイヤルの回転時のトルクを確保するとともに、調整ダイヤルの抜け防止が可能となる。また、熱可塑性樹脂を用いたケースにおいても、ケースの肉厚を必要とせず、薄肉の部分においても適用可能となり、安定した動作特性を得ることが可能となる。
【図面の簡単な説明】
【００１０】
【図１】本発明の実施例を示す斜視図で、（ａ）は外郭ケースと調整ダイヤルと線バネの部品を示す斜視図，（ｂ）は（ａ）を組み立てた状態の斜視図
【図２】本発明の実施例を示す熱動形過負荷継電器の斜視図
【図３】図２に示すＡ−Ａ断面の拡大図
【図４】（ａ）は図３に示すＢ部の拡大図，（ｂ）は図３に示すＣ部の拡大図
【図５】本発明のその他の実施の形態を示す斜視図
【図６】従来例を示す熱動形過負荷継電器の内部構造の正面図
【図７】従来の調整ダイヤルと線バネの斜視図
【発明を実施するための形態】
【実施例１】
【００１１】
以下、本発明の実施の形態を図１〜図５に示す実施例に基づいて説明する。なお、図６，図７に対応する部材には同じ符号を付してその説明は省略する。
図１は、本発明の熱動形過負荷継電器の外郭ケースと調整ダイヤルと線バネを示しており、（ａ）は、外郭ケースと調整ダイヤルと線バネの各部品を示した斜視図、（ｂ）は（ａ）を組み立てた状態の斜視図である。図２は、本発明の熱動形過負荷継電器の斜視図、図３は、図２に示したＡ−Ａ断面の拡大図である。図４（ａ）は、図３に示したＢ部の拡大図であり、図４（ｂ）は、図３に示したＣ部の拡大図である。
【００１２】
すなわち、図１に示す実施例において、調整ダイヤル１２の軸部１２ａには傾斜面１２ｂが設けられおり、外郭ケース１内部には調整ダイヤル１２を挿入する調整ダイヤル挿入穴１ａと、線バネ１３の回転を防止するための掛止部１ｃが設けられている。また、調整ダイヤル１２の軸部１２ａに設けた傾斜面１２ｂに線バネ１３を保持するために、線バネ１３に保持部１３ａを設け、Ｕ字形状に成形する。
【００１３】
図１に示すように、調整ダイヤル１２は、調整ダイヤル１２の軸部１２ａに傾斜面１２ｂを設け、外郭ケース１の調整ダイヤル挿入穴１ａへ挿入される。外郭ケース１の調整ダイヤル挿入穴１ａへ挿入された調整ダイヤル１２は、調整ダイヤル１２の傾斜面１２ｂに線バネ１３を図１（ｂ）に示すように圧入する。圧入された線バネ１３は、線バネ１３の保持部１３ａを調整ダイヤル１２の軸部１２ａに設けた傾斜面１２ｂの周面に固定し、線バネ１３の保持部１３ａを設けていない端部は、外郭ケース１に設けた掛止部１ｃに掛止され固定される。これによって、調整ダイヤル１２が外郭ケース１の調整ダイヤル挿入穴１ａからの抜け止めとするとともに、調整ダイヤル１２に固定された線バネ１３の回転防止とすることができる。
【００１４】
また、図４（ａ），（ｂ）にも示している通り、調整ダイヤル１２の傾斜面１２ｂに圧入固定された線バネ１３は、線バネ１３の張力方向に加わる「イ」の力と、調整ダイヤル１２を下方に押し付ける「ロ」の力と、「ロ」の押し付ける力の反力により線バネ１３が外郭ケース１を押し付ける「ハ」の力によって、強固に固定される。
【００１５】
よって、上記に説明した構成によって、整定電流を調整する際に調整ダイヤル１２を回転させるが、その回転時のトルクを確保するとともに、調整ダイヤル１２の外郭ケース１からの抜け止めを防止することができる。また、構造的に線バネ１３を挿入するスペースを必要とせず、調整ダイヤル１２の周囲に線バネ１３の径寸法程度のスペースがあれば充分にその機能を果たし、採用することが可能となる。
【００１６】
なお、本実施例では外郭ケース１に設けた掛止部１ｃは突起形状と限定しているが、突起だけではなく、外郭ケース１自体に溝を設けて線バネ１３の回転防止としても良い。
また、線バネ１３の形状を図１に示すように保持部１３ａをＵ字形状としているが、図５に示すような形状としても良い。これによって線バネ１３の脱着が容易となる。
【符号の説明】
【００１７】
１      外郭ケース
１ａ    調整ダイヤル挿入穴
１ｂ    ケース支軸
１ｃ    掛止部
２      主バイメタル
３      シフター
４      釈放レバー
５      接点開閉機構
６      反転ばね
７      スライダ
８      出力接点（ａ接点）
９      出力接点（ｂ接点）
１０    リセットスイッチ
１１    調整リンク
１１ａ  支軸
１２    調整ダイヤル
１２ａ  調整ダイヤル軸部
１２ｂ  調整ダイヤル傾斜面
１２ｃ  調整ダイヤルカム面
１３    線バネ
１３ａ  保持部
【図１】
2012109117.tif 000003
【図２】
2012109117.tif 000004
【図３】
2012109117.tif 000005
【図４】
2012109117.tif 000006
【図５】
2012109117.tif 000007
【図６】
2012109117.tif 000008
【図７】
2012109117.tif 000009